(57)【要約】【課題】額縁部の角部の見栄えが良く、良好な足触り感のあるボーダーカーペットを提供する。【解決手段】ボーダーカーペット１は、カーペット本体１０の周縁部が額縁部２０で装飾されたものであって、前記額縁部２０は、その内縁において、各辺に対応するボーダー生地２１，２２，２３，２４がカーペット本体１０のおもて面１０ａに縫い代をカーペット本体１０との間に挟んだ状態に縫着されるとともに、各角部において、隣接するボーダー生地（２１，２２）、（２２，２３）、（２３，２４）、（２４，２１）どうしが前記角部の角度を二分して接ぎ合わされることによって形成されている。また、前記額縁部２０の外縁側に連続する装着部３０を有し、前記装着部３０は、前記各ボーダー生地２１，２２，２３，２４が辺の外方向に延長され、隣接するボーダー生地（２１，２２）、（２２，２３）、（２３，２４）、（２４，２１）の延長部分どうしが前記額縁部２０の角部に対応する角度を二分して接ぎ合わされることによって形成されてなる。【選択図】      図１
2004223159.tif 000002
【特許請求の範囲】
【請求項１】
角部を有するカーペット本体（１０）の周縁部が、該カーペット本体（１０）の各辺に対応する複数のボーダー生地（２１）（２２）（２３）（２４）で形成された額縁部（２０）で装飾されたボーダーカーペットであって、
前記額縁部（２０）は、その内縁において、各ボーダー生地（２１）（２２）（２３）（２４）がカーペット本体（１０）のおもて面（１０ａ）に縫い代（４１ｂ）（４２ｂ）（４３ｂ）（４４ｂ）をカーペット本体（１０）との間に挟んだ状態に縫着されるとともに、各角部において、隣接するボーダー生地（２１）（２２）、（２２）（２３）、（２３）（２４）、（２４）（２１）どうしが前記角部の角度（α１）を二分して接ぎ合わされることによって形成されてなることを特徴とするボーダーカーペット。
【請求項２】
前記額縁部（２０）の外縁側に連続してカーペット本体（１０）の裏面側（１０ｂ）に折曲げられる装着部（３０）を有し、前記装着部（３０）は、前記各ボーダー生地（２１）（２２）（２３）（２４）が辺の外方向に延長され、隣接するボーダー生地（２１）（２２）、（２２）（２３）、（２３）（２４）、（２４）（２１）の延長部分どうしが前記額縁部（２０）の角部に対応する角度（α１）を二分して接ぎ合わされることによって形成されてなる請求項１に記載のボーダーカーペット。
【請求項３】
前記装着部（３０）はカーペット本体（１０）の裏面（１０ｂ）に接着されている請求項２に記載のボーダーカーペット。
【請求項４】
前記額縁部（２０）とカーペット本体（１０）との間に芯材（５５）が介装されてなる請求項１〜３のいずれかに記載ボーダーカーペット。
【請求項５】
前記額縁部は、該額縁部の幅方向に複数種の生地（５１）（５２）（５３）が接ぎ合わされたボーダー生地を用いることによって、複数段に形成されたものである請求項１〜４のいずれかに記載のボーダーカーペット。
【発明の詳細な説明】
【０００１】
【発明の属する技術分野】
この発明は、周縁部が額縁状に装飾されたボーダーカーペットに関する。
【０００２】
【従来の技術】
この種のボーダーカーペットには、カーペットのパイル糸の目付や色目を変えて額縁部を形成するものや、別素材からなるボーダー生地を縫着して装飾用の額縁部を形成したものがある。後者のボーダーカーペットは、額縁部の印象が際だつともに、額縁部の色模様を容易に変更でき、他のインテリアとのコーディネートが自在であるという長所がある（例えば、特許第２８０８７１号公報）。
【０００３】
特許第２８０８７１号公報に記載されたボーダーカーペットは、図１２〜図１５に示すように、四角形のカーペット本体に４枚のボーダー生地を下記の工程で縫着することによって額縁部が形成されている。
〔１〕  図１２（Ａ）に示すように、カーペット本体（１０）の一方の相対向辺、本図では対向する長辺の内方部に、辺に沿ってボーダー生地（６０）を裏返して裏面（６０ａ）を上向きに重ねて置き、辺の両端間を縫製する。図中、（６１）はボーダー生地（６０）の縫い代、（６２）は縫製線を示している。
〔２〕  図１２（Ｂ）に示すように、ボーダー生地（６０）を辺の外方に返しておもて面（６０ｂ）を見せるようにし、裏面（６０ａ）をカーペット本体（１０）に接着する。これにより、ボーダー生地（６０）の縫い代（６１）がボーダー生地（６０）の下に隠れ、額縁部の２つの長辺部が形成される。
〔３〕  図１２（Ｃ）に示すように、カーペット本体（１０）の他方の相対向辺、本図では対向する短辺の内方部に、辺に沿ってボーダー生地（６３）を裏返して裏面（６３ａ）を上向きに重ねて置き、辺の両端間のうち、先に縫着した長辺側のボーダー生地（６０）と重なる部分を除いてボーダー生地（６０）（６０）間のみを縫製する。図中、（６４）はボーダー生地（６３）の縫い代、（６５）は縫製線を示している。
〔４〕  図１２（Ｄ）に示すように、ボーダー生地（６３）を辺の外方に返しておもて面（６３ｂ）を見せるようにし、長辺側のボーダー生地（６０）と重なる部分を除いて、裏面（６３ａ）をカーペット本体（１０）に接着する。これにより、ボーダー生地（６３）の縫い代（６４）がボーダー生地（６３）の下に隠れ、額縁部の２つの短辺部が形成される。
〔５〕  カーペット本体（１０）の４つの角部において額縁仕立てのための角部処理を行う。角部処理は、図１３（Ａ）に示すように、角部の角度の二等分線（Ｌ）が出来上がり線となるから、短辺側のボーダー生地（６３）の両端部を前記二等分線（Ｌ）に折り代（６６）を加えた位置で斜めに切断する（一端のみを図示）。
〔６〕  図１３（Ｂ）に示すように、前記折り代（６６）を前記二等分線（Ｌ）でボーダー生地（６３）の裏面（６３ａ）側に折り込む。これにより、前記二等分線（Ｌ）を長辺側のボーダー生地（６０）と短辺側のボーダー生地（６３）の境界線とする額縁部（７０）の外観が形成される。
〔７〕  図１４に示すように、前記額縁部（７０）の内縁の近傍および外縁の近傍に（Ｓ１）（Ｓ２）で示すオーバーステッチを掛け、ボーダー生地（６０）（６３）をカーペット本体（１０）の縫着する。さらに、二等分線（Ｌ）の近傍にも（Ｓ３）で示すオーバーステッチをかけて、長辺側ボーダー生地（６０）と短辺側ボーダー生地（６３）とを縫着するとともに、これら（６０）（６３）をカーペット本体（１０）に縫着する。
【０００４】
【特許文献】
特許第２８０８７８号公報
【０００５】
【発明が解決しようとする課題】
しかしながら、上述したボーダーカーペットは、額縁部（７０）の角部において、隣接する２辺のボーダー生地の重ね代と後に縫着するボーダー生地の折り代とが重なるために、部分的に嵩高くなる。具体的には、図１３（Ｂ）および図１５に示すように、二等分線（Ｌ）の長辺側のＰ点では長辺側ボーダー生地（６０）の１枚分の厚さであるのに対し、二等分線（Ｌ）の短辺側のＱ点では、長辺側ボーダー生地（６０）の重ね代、短辺側ボーダー生地の折り代（６６）および視認される額縁部構成部分としてのボーダー生地（６３）の３者が重なり、３倍の厚さとなっている。このように急激に厚さが変化すると、見栄えが悪い上に足触り感も悪く、足が引っかかることもある。また、ステッチ線（Ｓ３）が二等分線（Ｌ）の近傍であると雖も、隣接するボーダー生地（６０）（６３）が突き合わせ状に接ぎ合わされているのではないから、ステッチ線（Ｓ３）と二等分線（Ｌ）との間は接着剤で接合されているにすぎず、長期に使用していると接着剤が剥がれてさらに足が引っかかり易くなる。
【０００６】
この発明は、上述した技術背景に鑑み、額縁部の角部の見栄えが良く、良好な足触り感のあるボーダーカーペットの提供を目的とする。
【０００７】
【課題を解決するための手段】
前記目的を達成するために、本発明のボーダーカーペットは、角部を有するカーペット本体（１０）の周縁部が、該カーペット本体（１０）の各辺に対応する複数のボーダー生地（２１）（２２）（２３）（２４）で形成された額縁部（２０）で装飾されたボーダーカーペットであって、前記額縁部（２０）は、その内縁において、各ボーダー生地（２１）（２２）（２３）（２４）がカーペット本体（１０）のおもて面（１０ａ）に縫い代（４１ｂ）（４２ｂ）（４３ｂ）（４４ｂ）をカーペット本体（１０）との間に挟んだ状態に縫着されるとともに、各角部において、隣接するボーダー生地（２１）（２２）、（２２）（２３）、（２３）（２４）、（２４）（２１）どうしが前記角部の角度（α１）を二分して接ぎ合わされることによって形成されてなることを基本要旨とする。
【０００８】
前記ボーダーカーペットにおいて、前記額縁部（２０）の外縁側に連続してカーペット本体（１０）の裏面側（１０ｂ）に折曲げられる装着部（３０）を有し、前記装着部（３０）は、前記各ボーダー生地（２１）（２２）（２３）（２４）が辺の外方向に延長され、隣接するボーダー生地（２１）（２２）、（２２）（２３）、（２３）（２４）、（２４）（２１）の延長部分どうしが前記額縁部（２０）の角部に対応する角度（α１）を二分して接ぎ合わされることによって形成されてなることが好ましい。
【０００９】
前記装着部（３０）はカーペット本体（１０）の裏面（１０ｂ）に接着されていることが好ましい。
【００１０】
また、前記額縁部（２０）とカーペット本体（１０）との間に芯材（５５）が介装されてなることが好ましい。
【００１１】
また、前記額縁部は、該額縁部の幅方向に複数種の生地（５１）（５２）（５３）が接ぎ合わされたボーダー生地を用いることによって、複数段に形成されたものであることが好ましい。
【００１２】
【発明の実施の形態】
図１および図２に、この発明のボーダーカーペットの一実施形態を示す。
【００１３】
これらに図示したボーダーカーペット（１）は、長方形のカーペット本体（１０）のおもて面（１０ａ）の周縁部が一定幅の額縁部（２０）によって装飾され、裏面（１０ｂ）の周縁部がこの額縁部（２０）に連続する装着部（３０）によって覆われている。前記額縁部（２０）および装着部（３０）は、各辺に対応するする４枚のボーダー生地（２１）（２２）（２３）（２４）を縫製することによって形成されたものである。
【００１４】
前記カーペット本体（１０）は、基布（１１）の片面にパイル糸（１２）がタフティングされたものである。一方、前記ボーダー生地（２１）（２２）（２３）（２４）はボリューム感のある織布である。
【００１５】
図３に、前記ボーダーカーペット（１）をカーペット本体（１０）および４枚のボーダー生地（２１）（２２）（２３）（２４）の各部材に分解した状態を示す。
【００１６】
カーペット本体（１０）のおもて面（１０ａ）において、Ａ、Ｂ、Ｃ、Ｄの各点はカーペット本体（１０）の４つの頂点、即ち額縁部（２０）の外縁側の４つの角部の位置を示し、ａ，ｂ，ｃ，ｄの各点は額縁部（２０）の内縁側の４つの角部を示している。また、線ａｂがボーダー生地（２１）が縫着される縫着線を示し、同様に線ｂｃ、線ｃｄ、線ｄａがそれぞれボーダー生地（２２）（２３）（２４）の縫着線を示している。従って、線Ａａはボーダー生地（２１）とボーダー生地（２２）との接合線の位置を示し、同様に線Ｂｂ、線Ｃｃ、線Ｄｄはそれぞれ隣接するボーダー生地（２１）（２２）、（２２）（２３）、（２３）（２４）の接合線の位置を示している。また、図４の要部拡大図に示すように、前記額縁部（２０）の各外縁側角部の角度（α１）は９０°、各内縁側角部の角度（β１）は２７０°である。
【００１７】
また、カーペット本体（１０）の裏面（１０ｂ）において、点Ａ、Ｂ、Ｃ、Ｄは額縁部（２０）と共有する装着部（３０）の外縁側の４つの角部の位置を示し、ａ’，ｂ’，ｃ’，ｄ’の各点は装着部（３０）の内縁側の４つの角部を示し、四角形ａ’ｂ’ｃ’ｄ’が装着部（３０）の内縁の位置を示している。従って、前記装着部（３０）の各外縁側角部は額縁部（２０）と共通でその角度（α１）は９０°、各内縁側角部の角度（γ１）は２７０°である。
【００１８】
ボーダー生地（２１）は、縫製後に額縁部（２０）として視認され、図３のカーペット本体（１０）上の台形ＡａｂＢに対応する台形部（２１ａ）と、この台形部（２１ａ）の長底辺（２５ａ）側（額縁部の外縁方向）に延長され、縫製後にカーペット本体（１０）の裏面（１０ｂ）側に折曲げられて装着部（３０）となされる逆台形部（２１ｂ）と、縫製に要する縫い代（４１ａ）（４１ｂ）（４１ｃ）（４１ｄ）とが一体となった形状を呈している。
【００１９】
図４の要部拡大図に示すように、前記台形部（２１ａ）の長底辺（２５ａ）の両端の角度（α２）は、額縁部（２０）の外縁側角部の角度（α１）である９０°を二等分した４５°に形成され、短底辺（２５ｂ）の両端の角度（β２）は、額縁部（２０）の内縁側角部の角度（β１）である２７０°を二等分した１３５°に形成されている。前記逆台形部（２１ｂ）の長底辺（２５ａ）の両端の角度（α３）は外縁側角度（α１）である９０°を二等分した４５°に形成され、短底辺（２５ｃ）の両端の角度（γ２）は装着部（３０）の内縁側角部の角度（γ１）である２７０°を二等分した１３５°に形成されている。
【００２０】
同様に、ボーダー生地（２２）（２３）（２４）は、台形部（２２ａ）（２３ａ）（２４ａ）と逆台形部（２２ｂ）（２３ｂ）（２４ｂ）と縫い代（４２ａ）（４２ｂ）（４２ｃ）（４２ｄ）（４３ａ）（４３ｂ）（４３ｃ）（４３ｄ）（４４ａ）（４４ｂ）（４４ｃ）（４４ｄ）とを有する形状を呈している。そして、前記ボーダー生地（２２）は、ボーダー生地（２１）とは台形部（２２ａ）および逆台形部（２２ｂ）の長底辺（２６ａ）および短底辺（２６ｂ）（２６ｃ）の寸法のみが相違し、これらの底辺の両端の角度（α２）（α３）（β２）（γ２）は共通である。また、前記ボーダー生地（２３）はボーダー生地（２１）の表裏対称形であり、前記ボーダー生地（２４）はボーダー生地（２２）の表裏対称形である。
【００２１】
前記ボーダーカーペット（１）は、〔１〕〜〔６〕の工程により上述したカーペット本体（１０）およびボーダー生地（２１）（２２）（２３）（２４）の各部材を縫製することにより製作される。
【００２２】
〔１〕  図５に示すように、ボーダー生地（２１）の逆台形部（２１ｂ）の短底辺（２５ｃ）側の縫い代（４１ａ）を裏側に折り、縫い目線（Ｌ１）で縫製する。前記折り山線（短底辺（２５ｃ））は装着部（３０）の内縁端となる。また、この縫製により生地のほつれ止めがなされるとともに外観が良くなる。
【００２３】
同様に、他のボーダー生地（２２）（２３）（２４）も逆台形部（２２ｂ）（２３ｂ）（２４ｂ）の短底辺（２６ｃ）（２７ｃ）（２８ｃ）側の縫い代（４２ａ）（４３ａ）（４４ａ）を裏側に折って縫製する。
【００２４】
〔２〕  図６（Ａ）に示すように、カーペット本体（１０）のおもて面（１０ａ）上に、ボーダー生地（２１）を裏向きにして台形部（２１）の短底辺（２５ｂ）を外方に向けて置き、カーペット本体（１０）の線ａｂ上にボーダー生地（２１）の台形部（２１ａ）の短底辺（２５ｂ）で縫着する。このように縫着すれば、図６（Ｂ）に示すように、ボーダー生地（２１）を表返すと縫い代（４１ａ）はボーダー生地（２１）の下側に隠れるから、見栄えが良い。
【００２５】
なお、前記短底辺（２５ｂ）の両端は額縁部（２０）の内縁側角部の頂点となり力が集中するポイントであるから、角部の補強のために複数回重ねて縫うことが好ましい。また、角部の補強を目的として、縫い代（４１ｂ）（４１ｃ）の間、および縫い代（４２ｂ）（４２ｃ）の間を点ｂの近傍まで切り込んでおき（図８参照）、短底辺（２５ｂ）の延長線上を点ａ、ｂを越えて縫うことも好ましい。
【００２６】
同様に、他のボーダー生地（２２）（２３）（２４）もそれぞれカーペット本体（１０）の線ｂｃ上、線ｃｄ上、線ｄａ上に台形部（２２ａ）（２３ａ）（２４ａ）の短底辺（２６ｂ）（２７ｂ）（２８ｂ）で縫着する。
【００２７】
〔３〕  図７に示すように、隣接するボーダー生地（２１）とボーダー生地（２２）を中おもてに重ねて、台形部（２１ａ）（２２ａ）の側辺（２５ｄ）（２６ｄ）どうし、逆台形部（２１ｂ）（２２ｂ）の側辺（２５ｅ）（２６ｅ）どうしを連続して縫う。この縫製により隣接するボーダー生地（２１）（２２）が連続した接合線（Ｌ２）（Ｌ３）で接ぎ合わされ、額縁部（２０）と装着部（３０）とが連続形成される（図１（Ａ）（Ｂ）参照）。また、縫い代（４１ｃ）（４２ｃ）、（４１ｄ）（４２ｄ）は、図８に示すように接合線（Ｌ２）（Ｌ３）の両側に割っておく。縫い代を割ることによって縫い代による嵩張りが接合線（Ｌ２）（Ｌ３）の両側で均等になって外観が良い。
【００２８】
他の隣接するボーダー生地（２２）（２３）、（２３）（２４）、（２４）（２１）も同様にして縫製し、縫い代を接合線の両側に割っておく。これにより４枚のボーダー生地が接ぎ合わされて額縁部（２０）が環状に形成されるとともに、該額縁部（２０）に連続する装着部（３０）も環状に形成される。
【００２９】
〔４〕  図８に示すように、接ぎ合わせたボーダー生地（２１）（２２）を表に返す。
【００３０】
形成された額縁部（２０）の外縁側角部の角度（α１）は台形部（２１ａ）（２２ａ）の長底辺（２５ａ）（２６ａ）の端部角度の合計であるから、α２（４５°）＋α２（４５°）＝９０°となる。内縁側角部の角度（β１）は台形部（２１ａ）（２２ａ）の短底辺（２５ｂ）（２６ｂ）の端部角度の合計であるからβ２（１３５°）＋β２（１３５°）＝２７０°となる。また、形成された装着部（３０）の外縁側角部の角度（α１）は逆台形部（２１ｂ）（２２ｂ）の長底辺（２５ａ）（２６ａ）の端部角度の合計であるから、α３（４５°）＋α３（４５°）＝９０°となり、内縁側角部の角度（γ１）は逆台形部（２１ｂ）（２２ｂ）の短底辺（２５ｃ）（２６ｃ）の端部角度の合計であるからγ２（１３５°）＋γ２（１３５°）＝２７０°となる。
【００３１】
また、前記額縁部（２０）および装着部（３０）の外縁側角部は縫製によって袋状に形成される。これは、ボーダー生地（２１）（２２）（２３）（２４）の台形部（２１ａ）（２２ａ）（２３ａ）（２４ａ）および逆台形部（２１ｂ）（２２ｂ）（２３ｂ）（２４ｂ）の角部の角度（α２）（α３）が、縫製後にこれらの外縁側角部（α１）の角度に一致するように設定されているためである。
【００３２】
なお図８においては、縫製の便宜上、縫い代（４１ｂ）（４１ｃ）の間、および縫い代（４２ｂ）（４２ｃ）の間を点ｂの近傍まで切り込んだ状態を示している。
【００３３】
〔５〕  カーペット本体（１０）の角部に、〔４〕で袋状に形成した額縁部（２０）および装着部（３０）の外縁側角部を挿入して装着するとともに、全周縁で装着部（３０）を裏面（１０ｂ）側に折り曲げる。これにより、図１（Ａ）（Ｂ）に示すように、カーペット本体（１０）のおもて面（１０ａ）の周縁が額縁部（２０）で装飾されるとともに、裏面（１０ｂ）の周縁に至るまですっぽりと覆われる。また、額縁部（２０）および装着部（３０）はカーペット本体（１０）の寸法通りに縫製されているから、これらの間にカーペット本体（１０）の周縁部をぴったりと収めることができる。また角部が袋状に形成されているからカーペット本体（１０）への装着位置が決まり、簡単に装着できる。しかも、カーペット本体（１０）の周端面が額縁部（２０）および装着部（３０）で覆われるために、カーペット本体（１０）は切断端の端部処理を行う必要がない。
【００３４】
〔６〕  装着部（３０）をカーペット本体（１０）の裏面（１０ｂ）に接着剤で接合する。接着剤を使用しても裏面であるから外観を損なうことなく、安定した装着状態が得られる。また、接着であるから作業が簡単である。
【００３５】
前記ボーダーカーペット（１）は、別素材のボーダー生地（２１）（２２）（２３）（２４）による額縁部を（２０）を設けることによって、色、模様、風合いに変化をつけることができるとともに、周縁部（２０）のボリューム感が増して立体感がかもし出される。しかも、額縁部（２０）の角部はボーダー生地（２１）（２２）どうしの接ぎ合わせであるからカーペット本体（１０）には縫着されず、縫い代（４１ｃ）（４２ｃ）を割ると接合線（Ｌ２）の両側の嵩張りが均等に配分される。このため、見栄えが良く、足の引っかかりもなく足触り感が良い。また、額縁部（２０）に連続する装着部（３０）を設けたことで、カーペット本体（１０）の裏面（１０ｂ）に接着できるから、接着剤で額縁部（２０）の風合いを損なうこともない。裏面（１０ｂ）は外観に影響を及ばさない部位であり、接着という極めて簡単で効率の良い作業をボーダー生地の留め付けを実施することができる。
【００３６】
また、上記ボーダーカーペット（１）においては、縫製の縫い目が額縁部（２０）上に現れない縫製方法を採用することにより、ボーダー生地（２１）（２２）（２３）（２４）の風合いを活かしているが、ボーダー生地の質感やデザインに応じて、額縁部（１０）の縫製後にオーバーステッチをかけることは任意に行うことができる。
【００３７】
この発明のボーダーカーペットは上述した実施形態に限定されず、次のような形態に限定されない。
【００３８】
カーペット本体は、上記例のタフティングカーペットの他、タフティング以外の各種パイルカーペット、織りカーペット、フェルトカーペット等の縫製可能なものであれば任意のものを使用できる。厚さや寸法も限定されない。
【００３９】
額縁部は、幅方向に複数枚のボーダー生地を接ぎ合わせて複数段の額縁部とすることができ、装飾効果が増大される。図９に例示した額縁部（５０）は、幅方向に３種類の生地（５１）（５２）（５３）を接ぎ合わせることによって三段構造となされている。このとき、例えば３種類の生地（５１）（５２）（５３）を相対的に暗い色彩から明るい色彩を順に並べることで立体感をかもし出すことができる。また、生地の質感の異なるものを並べることもできる。さらに、オーバーステッチをかける場合、ミシン針を生地の接合線（Ｌ４）（Ｌ５）上に落とす、所謂落とし縫いをすれば縫い目は殆ど見えなくなるから、外観や風合いを損なうことなく額縁部（５０）をカーペット本体（１０）にしっかりと固定することができる。
【００４０】
また図１０に示すように、額縁部（２０）のボーダー生地（２１）とカーペット本体（１０）との間に芯材（５５）を介装することもできる。芯材（５５）の介装により立体感をかもし出すことができる。前記芯材（５５）は、図示例のように額縁部（２０）の幅方向で厚さが変化するものでも良いし、一定厚さのものでも良い。また、材質は発泡樹脂等の軽量で適度な弾力性を有するものが好ましい。
【００４１】
ボーダーカーペットの輪郭形状、実質的にはカーペット本体の形状は図示例の四角形に限定されず、角部の角度も９０°に限定されないし、異なる角度を混在させることもできる。図１１（Ａ）（Ｂ）においては、六角形のボーダーカーペット（５６）、１８０°を越える角度の角部を有するボーダーカーペット（５８）を例示している。いずれの場合も、ボーダー生地の台形部および逆台形部の角度（図４におけるα２、α３、β２、γ２に対応する角度）を各角部に合わせて設定することによって、カーペット本体の形状に適合した額縁部（５７）（５９）および装着部に縫製できる。
【００４２】
また、額縁部は各辺で異なる幅に形成することもできる。角部処理は、隣接するボーダー生地の接合角度を調節することによって行う。
【００４３】
なお、本発明のボーダーカーペットにおいては、装着部を有さず額縁部のみのものも含有される。この場合、額縁部は接着、縫着等により適宜カーペット本体に接合する。
【００４４】
さらに、本発明のボーダーカーペットの縫製方法は、上述した方法に限定されない。例えば、長尺のボーダー生地を用い、カーペット本体に前記台形部の短底辺の対応する額縁部の内縁線を縫着した後に残余部分に裁断し、次いで隣接するボーダー生地を所定角度で接ぎ合わせ後にさらに残余部分を裁断することとしても良い。この方法によれば、事前に裁断を行わずとも良いから工程の簡素化が可能であり、縫製後に裁断するので裁断寸法の誤差による縫製不良を生じない。また、本実施形態のように事前に裁断しておく場合でも、先に隣接するボーダー生地を接ぎ合わせて環状に形成し、その後にカーペット本体に縫着しても良い。
【００４５】
【発明の効果】
以上の次第で、本発明のボーダーカーペットは、額縁部の内縁において、各ボーダー生地がカーペット本体のおもて面に縫い代をカーペット本体との間に挟んだ状態に縫着されるため、縫い代が隠されて見栄えが良い。また、各角部は隣接するボーダー生地どうしが前記角部の角度を二分して接ぎ合わされ、カーペット本体に縫着されていないために、縫い代を接合線の両側に割ることによって、縫い代による嵩張りが接合線の両側で均等に配分される。このため、見栄えが良く、足の引っかかりもなく足触り感が良い。
【００４６】
また、装着部を有するボーダーカーペットでは、ボーダー生地の延長部分どうしが前記額縁部の角部に対応する角度を二分して接ぎ合わされることによって形成されているため、額縁部および装着部の角部が袋状となる。このため、カーペット本体への装着位置が決まり、簡単に装着できる。また、カーペット本体の周端面が額縁部および装着部で覆われるために、カーペット本体の切断端の端部処理を行わずとも美しい外観となる。
【００４７】
さらに、前記装着部がカーペット本体の裏面に接着されている場合は、外観を損なうことなく、安定した装着状態が得られる。しかも作業は簡単である。
【００４８】
また、前記額縁部とカーペット本体との間に芯材が介装されている場合は、立体感をかもし出すことができる。
【００４９】
また、前記額縁部が複数種の生地が接ぎ合わされたボーダー生地によって形成されている場合は、装飾効果が増大される。
【図面の簡単な説明】
【図１】この発明にかかるボーダーカーペットの一実施形態の全体斜視図であり、（Ａ）図はおもて面から見た斜視図、（Ｂ）図は裏面から見た斜視図である。
【図２】図１（Ａ）におけるイ−イ線断面図である。
【図３】図１のボーダーカーペットの分解図である。
【図４】図３の要部拡大図である。
【図５】縫製の第１工程を示す平面図である。
【図６】（Ａ）図は縫製の第２工程を示す平面図であり、（Ｂ）図は第２工程で縫着したボーダー生地を表に返した状態を示す断面図である。
【図７】縫製の第３工程をを示す斜視図である。
【図８】縫製の第４工程を示す斜視図である。
【図９】本発明のボーダーカーペットの他の実施形態を示す部分平面図である。
【図１０】本発明のボーダーカーペットのさらに他の実施形態を示す部分断面図である。
【図１１】（Ａ）図および（Ｂ）図は、本発明のボーダーカーペットのさらに他の実施形態を示す平面図である。
【図１２】図（Ａ）〜図（Ｄ）は、従来のボーダーカーペットの縫製工程を示す平面図である。
【図１３】図（Ａ）および図（Ｂ）は、従来のボーダーカーペットの製造工程における角部処理を示す平面図である。
【図１４】従来のボーダーカーペットの平面図である。
【図１５】図１３（Ｂ）のロ−ロ線における断面図である。
【符号の説明】
１…ボーダーカーペット
１０…カーペット本体
１０ａ…おもて面
１０ｂ…裏面
２０、５０…額縁部
２１，２２，２３，２４，５１，５２，５３…ボーダー生地
２１ａ，２２ａ，２３ａ，２４ａ…台形部
２１ｂ，２２ｂ，２３ｂ，２４ｂ…逆台形部
３０…装着部
４１ａ，４２ａ，４３ａ，４４ａ…縫い代
Ｌ２、Ｌ３…接合線
α１…額縁部の外縁側角部の角度
β１…額縁部の内縁側角部の角度
γ１…装着部の内縁側角部の角度
【図１】
2004223159.tif 000003
【図２】
2004223159.tif 000004
【図３】
2004223159.tif 000005
【図４】
2004223159.tif 000006
【図５】
2004223159.tif 000007
【図６】
2004223159.tif 000008
【図７】
2004223159.tif 000009
【図８】
2004223159.tif 000010
【図９】
2004223159.tif 000011
【図１０】
2004223159.tif 000012
【図１１】
2004223159.tif 000013
【図１２】
2004223159.tif 000014
【図１３】
2004223159.tif 000015
【図１４】
2004223159.tif 000016
【図１５】
2004223159.tif 000017